【手続補正書】
【提出日】令和2年8月13日(2020.8.13)
【手続補正１】
【補正対象書類名】特許請求の範囲
【補正対象項目名】全文
【補正方法】変更
【補正の内容】
【特許請求の範囲】
【請求項１】
ワイヤレス通信のための装置であって、
第１の媒体アクセス制御（ＭＡＣ）サービスデータユニット（ＭＳＤＵ）を、一意のＭＡＣプロトコルデータユニット（ＭＰＤＵ）シーケンス番号と、前記第１のＭＳＤＵに関連付けられた別個のＭＳＤＵシーケンス番号とを各々が有する、第１の複数のＭＰＤＵへと分割するように構成された少なくとも１つの処理システムと、
受信側への送信のために前記第１の複数のＭＰＤＵを出力するように構成された第１のインターフェースと
を備える、装置。
【請求項２】
各ＭＰＤＵは、
前記一意のＭＰＤＵシーケンス番号のインジケーションと、
前記第１のＭＳＤＵに関連付けられた前記ＭＳＤＵシーケンス番号のインジケーションと、
前記ＭＰＤＵが前記第１のＭＳＤＵの開始ＭＰＤＵであるかまたは終了ＭＰＤＵであるかのインジケーションと
を備える制御フィールドを有する、請求項１に記載の装置。
【請求項３】
前記少なくとも１つの処理システムは、少なくとも前記第１のＭＳＤＵを処理するためのパラメータのセットを有する少なくとも１つのフレームを生成するようにさらに構成され、前記パラメータのセットは、前記第１の複数のＭＰＤＵが送信のために出力される送信ウィンドウについての少なくともＭＰＤＵ開始シーケンス番号（ＳＳＮ）およびＭＳＤＵ ＳＳＮに関連付けられ、
前記第１のインターフェースは、前記受信側への送信のために前記少なくとも１つのフレームを出力するようにさらに構成される、
請求項１に記載の装置。
【請求項４】
前記パラメータのセットはまた、
いくつのビットがＭＰＤＵシーケンス番号のために使用されるかのインジケーションと、
いくつのビットがＭＳＤＵシーケンス番号のために使用されるかのインジケーションと
を備える、請求項３に記載の装置。
【請求項５】
前記第１の複数のＭＰＤＵは、アグリゲートされたＭＰＤＵ（Ａ−ＭＰＤＵ）を介した送信のために出力される、請求項１に記載の装置。
【請求項６】
前記少なくとも１つの処理システムは、少なくとも第２の媒体アクセス制御（ＭＡＣ）サービスデータユニット（ＭＳＤＵ）を、一意のＭＡＣプロトコルデータユニット（ＭＰＤＵ）シーケンス番号と、前記第２のＭＳＤＵに関連付けられた別個のＭＳＤＵシーケンス番号とを各々が有する、第２の複数のＭＰＤＵへと分割するようにさらに構成され、
前記第１のインターフェースは、前記Ａ−ＭＰＤＵを介した送信のために前記第２の複数のＭＰＤＵを出力するようにさらに構成される、
請求項５に記載の装置。
【請求項７】
前記受信側から１つまたは複数のブロック確認応答フレームを取得するように構成された第２のインターフェースをさらに備え、前記１つまたは複数のブロック確認応答フレームは、前記第１の複数のＭＰＤＵのうちのどれが前記受信側によって成功裏に受信されたかを示し、
前記少なくとも１つの処理システムは、前記第１の複数のＭＰＤＵの各々が前記受信側によって成功裏に受信されたことを前記１つまたは複数のブロック確認応答フレームが示す場合に、送信バッファから前記第１のＭＳＤＵを解放するようにさらに構成される、請求項１に記載の装置。
【請求項８】
前記受信側から１つまたは複数のブロック確認応答フレームを取得するように構成された第２のインターフェースをさらに備え、前記１つまたは複数のブロック確認応答フレームは、前記第１の複数のＭＰＤＵのうちのどれが前記受信側によって成功裏に受信されたかを示し、
前記少なくとも１つの処理システムは、前記受信側によって成功裏に受信されなかったことを前記１つまたは複数のブロック確認応答フレームが示す前記第１の複数のＭＰＤＵのうちの少なくとも１つを含むフレームを生成するようにさらに構成され、
前記第１のインターフェースは、送信のために前記フレームを出力するようにさらに構成される、請求項１に記載の装置。
【請求項９】
前記受信側から１つまたは複数のブロック確認応答フレームを取得するように構成された第２のインターフェースをさらに備え、前記１つまたは複数のブロック確認応答フレームは、前記第１の複数のＭＰＤＵのうちのどれが前記受信側によって成功裏に受信されたかを示し、
前記少なくとも１つの処理システムは、第２のＭＳＤＵを、一意のＭＰＤＵシーケンス番号と、前記第２のＭＳＤＵに関連付けられた別個のＭＳＤＵシーケンス番号とを各々が有する、第２の複数のＭＰＤＵへと分割するようにさらに構成され、
前記１つまたは複数のブロック確認応答フレームは、前記第２の複数のＭＰＤＵも含むアグリゲートされたＭＰＤＵ（Ａ−ＭＰＤＵ）を備える、請求項１に記載の装置。
【請求項１０】
前記受信側から１つまたは複数のブロック確認応答フレームを取得するように構成された第２のインターフェースをさらに備え、前記１つまたは複数のブロック確認応答フレームは、前記第１の複数のＭＰＤＵのうちのどれが前記受信側によって成功裏に受信されたかを示し、
前記少なくとも１つの処理システムは、
前記受信側によって成功裏に受信されなかったものとして前記１つまたは複数のブロック確認応答フレームによって示された少なくとも１つのＭＰＤＵに対応する少なくとも１つのＭＳＤＵを破棄することと、
前記受信側に前記破棄されたＭＰＤＵを処理することをスキップさせるために選択されるＭＰＤＵ開始シーケンス番号（ＳＳＮ）およびＭＳＤＵ ＳＳＮについての値を有する少なくとも１つのフレームを生成することと
を行うようにさらに構成され、前記第１のインターフェースは、前記受信側への送信のために前記少なくとも１つのフレームを出力するようにさらに構成される、
請求項１に記載の装置。
【請求項１１】
前記少なくとも１つのフレームは、ブロック確認応答要求フレームを備える、請求項１０に記載の装置。
【請求項１２】
ワイヤレス通信のための装置であって、
一意の媒体アクセス制御（ＭＡＣ）プロトコルデータユニット（ＭＰＤＵ）シーケンス番号と、別個のＭＡＣサービスデータユニット（ＭＳＤＵ）シーケンス番号とを各々が有する、第１の複数のＭＰＤＵを取得するように構成された第１のインターフェースと、
前記第１の複数のＭＰＤＵの前記ＭＰＤＵおよびＭＳＤＵシーケンス番号に基づいて受信バッファを維持するように構成された少なくとも１つの処理システムと
を備える、装置。
【請求項１３】
各ＭＰＤＵは、
前記一意のＭＰＤＵシーケンス番号の第１のインジケーションと、
前記ＭＳＤＵシーケンス番号の第２のインジケーションと、
前記ＭＰＤＵがＭＳＤＵの開始ＭＰＤＵであるかまたは終了ＭＰＤＵであるかの第３のインジケーションと
を備える制御フィールドを有し、前記少なくとも１つの処理システムは、
前記第３のインジケーションに基づいて、ＭＰＤＵが第１のＭＳＤＵの終了ＭＰＤＵであることを検出することと、
前記第１のＭＳＤＵに関連付けられた全てのＭＰＤＵが成功裏に受信されているかどうかを、前記検出後に決定することと、
前記決定が、前記第１のＭＳＤＵに関連付けられた全てのＭＰＤＵが成功裏に受信されているというものである場合に、前記受信バッファから前記第１のＭＳＤＵを解放することと
を行うことによって前記受信バッファを維持するように構成される、
請求項１２に記載の装置。
【請求項１４】
前記少なくとも１つの処理システムは、前記受信バッファが前記第１のＭＳＤＵのＭＳＤＵシーケンス番号より低いＭＳＤＵシーケンス番号の第２のインジケーションを有する制御フィールドを有するいかなるＭＰＤＵも含まない場合にのみ、前記第１のＭＳＤＵを解放するように構成される、請求項１３に記載の装置。
【請求項１５】
前記第１のインターフェースは、少なくともＭＰＤＵ開始シーケンス番号（ＳＳＮ）およびＭＳＤＵ ＳＳＮに関連付けられたパラメータのセットを有する少なくとも１つのフレームを取得するようにさらに構成され、
前記少なくとも１つの処理システムは、前記ＭＳＤＵ ＳＳＮに基づいて次の予期されるシーケンス番号についての変数を初期化することと、前記ＭＰＤＵ ＳＳＮに基づいて開始ＭＰＤＵシーケンス番号についての変数を初期化することとを行うように構成される、
請求項１２に記載の装置。
【請求項１６】
前記パラメータのセットはまた、いくつのビットが前記ＭＰＤＵ ＳＳＮのために使用されるか、およびいくつのビットが前記ＭＳＤＵ ＳＳＮのために使用されるかを示し、
前記少なくとも１つの処理システムは、前記示されたビット数に基づいて前記ＭＰＤＵ ＳＳＮおよび前記ＭＳＤＵ ＳＳＮを決定するように構成される、
請求項１５に記載の装置。
【請求項１７】
前記第１のインターフェースは、ＭＰＤＵ開始シーケンス番号（ＳＳＮ）およびＭＳＤＵ ＳＳＮを示す少なくとも１つのフレームを取得するようにさらに構成され、
前記少なくとも１つの処理システムは、前記示されたＭＳＤＵ ＳＳＮより低いＭＳＤＵシーケンス番号または前記示されたＭＰＤＵ ＳＳＮより低いＭＰＤＵシーケンス番号のうちの少なくとも１つを有するＭＰＤＵを、前記受信バッファから破棄するように構成される、
請求項１２に記載の装置。
【請求項１８】
前記少なくとも１つのフレームは、ブロック確認応答要求フレームを備える、請求項１７に記載の装置。
【請求項１９】
ワイヤレスノードであって、
第１の媒体アクセス制御（ＭＡＣ）サービスデータユニット（ＭＳＤＵ）を、一意のＭＡＣプロトコルデータユニット（ＭＰＤＵ）シーケンス番号と、前記第１のＭＳＤＵに関連付けられた別個のＭＳＤＵシーケンス番号とを各々が有する、第１の複数のＭＰＤＵへと分割するように構成された少なくとも１つの処理システムと、
受信側に前記第１の複数のＭＰＤＵを送信するように構成された送信機と
を備える、ワイヤレスノード。
【請求項２０】
前記第１の複数のＭＰＤＵを受信するように構成された受信機、
ここにおいて、前記装置は、ワイヤレスノードとして構成される、
をさらに備える、請求項１２に記載の装置。
【手続補正２】
【補正対象書類名】明細書
【補正対象項目名】００９９
【補正方法】変更
【補正の内容】
【００９９】
[0113]特許請求の範囲は、上記に例示されたまさにその構成およびコンポーネントに限定されないことが理解されるべきである。様々な修正、変更、および変形が、特許請求の範囲から逸脱することなしに、上述された方法および装置の配置、動作および詳細においてなされ得る。
以下に本願の出願当初の特許請求の範囲に記載された発明を付記する。
［Ｃ１］
ワイヤレス通信のための装置であって、
第１の媒体アクセス制御（ＭＡＣ）サービスデータユニット（ＭＳＤＵ）を、一意のＭＡＣプロトコルデータユニット（ＭＰＤＵ）シーケンス番号と、前記第１のＭＳＤＵに関連付けられた別個のＭＳＤＵシーケンス番号とを各々が有する、第１の複数のＭＰＤＵへと分割するように構成された少なくとも１つの処理システムと、
受信側への送信のために前記第１の複数のＭＰＤＵを出力するように構成された第１のインターフェースと
を備える、装置。
［Ｃ２］
各ＭＰＤＵは、
前記一意のＭＰＤＵシーケンス番号のインジケーションと、
前記第１のＭＳＤＵに関連付けられた前記ＭＳＤＵシーケンス番号のインジケーションと、
前記ＭＰＤＵが前記第１のＭＳＤＵの開始ＭＰＤＵであるかまたは終了ＭＰＤＵであるかのインジケーションと
を備える制御フィールドを有する、Ｃ１に記載の装置。
［Ｃ３］
前記少なくとも１つの処理システムは、少なくとも前記第１のＭＳＤＵを処理するためのパラメータのセットを有する少なくとも１つのフレームを生成するようにさらに構成され、前記パラメータのセットは、前記第１の複数のＭＰＤＵが送信のために出力される送信ウィンドウについての少なくともＭＰＤＵ開始シーケンス番号（ＳＳＮ）およびＭＳＤＵ ＳＳＮに関連付けられ、
前記第１のインターフェースは、前記受信側への送信のために前記少なくとも１つのフレームを出力するようにさらに構成される、
Ｃ１に記載の装置。
［Ｃ４］
前記パラメータのセットはまた、
いくつのビットがＭＰＤＵシーケンス番号のために使用されるかのインジケーションと、
いくつのビットがＭＳＤＵシーケンス番号のために使用されるかのインジケーションと
を備える、Ｃ３に記載の装置。
［Ｃ５］
前記第１の複数のＭＰＤＵは、アグリゲートされたＭＰＤＵ（Ａ−ＭＰＤＵ）を介した送信のために出力される、Ｃ１に記載の装置。
［Ｃ６］
前記少なくとも１つの処理システムは、少なくとも第２の媒体アクセス制御（ＭＡＣ）サービスデータユニット（ＭＳＤＵ）を、一意のＭＡＣプロトコルデータユニット（ＭＰＤＵ）シーケンス番号と、前記第２のＭＳＤＵに関連付けられた別個のＭＳＤＵシーケンス番号とを各々が有する、第２の複数のＭＰＤＵへと分割するようにさらに構成され、
前記第１のインターフェースは、前記Ａ−ＭＰＤＵを介した送信のために前記第２の複数のＭＰＤＵを出力するようにさらに構成される、
Ｃ５に記載の装置。
［Ｃ７］
前記受信側から１つまたは複数のブロック確認応答フレームを取得するように構成された第２のインターフェースをさらに備え、前記１つまたは複数のブロック確認応答フレームは、前記第１の複数のＭＰＤＵのうちのどれが前記受信側によって成功裏に受信されたかを示し、
前記少なくとも１つの処理システムは、前記第１の複数のＭＰＤＵの各々が前記受信側によって成功裏に受信されたことを前記１つまたは複数のブロック確認応答フレームが示す場合に、送信バッファから前記第１のＭＳＤＵを解放するようにさらに構成される、Ｃ１に記載の装置。
［Ｃ８］
前記受信側から１つまたは複数のブロック確認応答フレームを取得するように構成された第２のインターフェースをさらに備え、前記１つまたは複数のブロック確認応答フレームは、前記第１の複数のＭＰＤＵのうちのどれが前記受信側によって成功裏に受信されたかを示し、
前記少なくとも１つの処理システムは、前記受信側によって成功裏に受信されなかったことを前記１つまたは複数のブロック確認応答フレームが示す前記第１の複数のＭＰＤＵのうちの少なくとも１つを含むフレームを生成するようにさらに構成され、
前記第１のインターフェースは、送信のために前記フレームを出力するようにさらに構成される、Ｃ１に記載の装置。
［Ｃ９］
前記受信側から１つまたは複数のブロック確認応答フレームを取得するように構成された第２のインターフェースをさらに備え、前記１つまたは複数のブロック確認応答フレームは、前記第１の複数のＭＰＤＵのうちのどれが前記受信側によって成功裏に受信されたかを示し、
前記少なくとも１つの処理システムは、第２のＭＳＤＵを、一意のＭＰＤＵシーケンス番号と、前記第２のＭＳＤＵに関連付けられた別個のＭＳＤＵシーケンス番号とを各々が有する、第２の複数のＭＰＤＵへと分割するようにさらに構成され、
前記１つまたは複数のブロック確認応答フレームは、前記第２の複数のＭＰＤＵも含むアグリゲートされたＭＰＤＵ（Ａ−ＭＰＤＵ）を備える、Ｃ１に記載の装置。
［Ｃ１０］
前記受信側から１つまたは複数のブロック確認応答フレームを取得するように構成された第２のインターフェースをさらに備え、前記１つまたは複数のブロック確認応答フレームは、前記第１の複数のＭＰＤＵのうちのどれが前記受信側によって成功裏に受信されたかを示し、
前記少なくとも１つの処理システムは、
前記受信側によって成功裏に受信されなかったものとして前記１つまたは複数のブロック確認応答フレームによって示された少なくとも１つのＭＰＤＵに対応する少なくとも１つのＭＳＤＵを破棄することと、
前記受信側に前記破棄されたＭＰＤＵを処理することをスキップさせるために選択されるＭＰＤＵ開始シーケンス番号（ＳＳＮ）およびＭＳＤＵ ＳＳＮについての値を有する少なくとも１つのフレームを生成することと
を行うようにさらに構成され、前記第１のインターフェースは、前記受信側への送信のために前記少なくとも１つのフレームを出力するようにさらに構成される、
Ｃ１に記載の装置。
［Ｃ１１］
前記少なくとも１つのフレームは、ブロック確認応答要求フレームを備える、Ｃ１０に記載の装置。
［Ｃ１２］
ワイヤレス通信のための装置であって、
一意の媒体アクセス制御（ＭＡＣ）プロトコルデータユニット（ＭＰＤＵ）シーケンス番号と、別個のＭＡＣサービスデータユニット（ＭＳＤＵ）シーケンス番号とを各々が有する、第１の複数のＭＰＤＵを取得するように構成された第１のインターフェースと、
前記第１の複数のＭＰＤＵの前記ＭＰＤＵおよびＭＳＤＵシーケンス番号に基づいて受信バッファを維持するように構成された少なくとも１つの処理システムと
を備える、装置。
［Ｃ１３］
各ＭＰＤＵは、
前記一意のＭＰＤＵシーケンス番号の第１のインジケーションと、
前記ＭＳＤＵシーケンス番号の第２のインジケーションと、
前記ＭＰＤＵがＭＳＤＵの開始ＭＰＤＵであるかまたは終了ＭＰＤＵであるかの第３のインジケーションと
を備える制御フィールドを有し、前記少なくとも１つの処理システムは、
前記第３のインジケーションに基づいて、ＭＰＤＵが第１のＭＳＤＵの終了ＭＰＤＵであることを検出することと、
前記第１のＭＳＤＵに関連付けられた全てのＭＰＤＵが成功裏に受信されているかどうかを、前記検出後に決定することと、
前記決定が、前記第１のＭＳＤＵに関連付けられた全てのＭＰＤＵが成功裏に受信されているというものである場合に、前記受信バッファから前記第１のＭＳＤＵを解放することと
を行うことによって前記受信バッファを維持するように構成される、
Ｃ１２に記載の装置。
［Ｃ１４］
前記少なくとも１つの処理システムは、前記受信バッファが前記第１のＭＳＤＵのＭＳＤＵシーケンス番号より低いＭＳＤＵシーケンス番号の第２のインジケーションを有する制御フィールドを有するいかなるＭＰＤＵも含まない場合にのみ、前記第１のＭＳＤＵを解放するように構成される、Ｃ１３に記載の装置。
［Ｃ１５］
前記第１のインターフェースは、少なくともＭＰＤＵ開始シーケンス番号（ＳＳＮ）およびＭＳＤＵ ＳＳＮに関連付けられたパラメータのセットを有する少なくとも１つのフレームを取得するようにさらに構成され、
前記少なくとも１つの処理システムは、前記ＭＳＤＵ ＳＳＮに基づいて次の予期されるシーケンス番号についての変数を初期化することと、前記ＭＰＤＵ ＳＳＮに基づいて開始ＭＰＤＵシーケンス番号についての変数を初期化することとを行うように構成される、
Ｃ１２に記載の装置。
［Ｃ１６］
前記パラメータのセットはまた、いくつのビットが前記ＭＰＤＵ ＳＳＮのために使用されるか、およびいくつのビットが前記ＭＳＤＵ ＳＳＮのために使用されるかを示し、
前記少なくとも１つの処理システムは、前記示されたビット数に基づいて前記ＭＰＤＵ ＳＳＮおよび前記ＭＳＤＵ ＳＳＮを決定するように構成される、
Ｃ１５に記載の装置。
［Ｃ１７］
前記第１のインターフェースは、ＭＰＤＵ開始シーケンス番号（ＳＳＮ）およびＭＳＤＵ ＳＳＮを示す少なくとも１つのフレームを取得するようにさらに構成され、
前記少なくとも１つの処理システムは、前記示されたＭＳＤＵ ＳＳＮより低いＭＳＤＵシーケンス番号または前記示されたＭＰＤＵ ＳＳＮより低いＭＰＤＵシーケンス番号のうちの少なくとも１つを有するＭＰＤＵを、前記受信バッファから破棄するように構成される、
Ｃ１２に記載の装置。
［Ｃ１８］
前記少なくとも１つのフレームは、ブロック確認応答要求フレームを備える、Ｃ１７に記載の装置。
［Ｃ１９］
ワイヤレス通信のための方法であって、
第１の媒体アクセス制御（ＭＡＣ）サービスデータユニット（ＭＳＤＵ）を、一意のＭＡＣプロトコルデータユニット（ＭＰＤＵ）シーケンス番号と、前記第１のＭＳＤＵに関連付けられた別個のＭＳＤＵシーケンス番号とを各々が有する、第１の複数のＭＰＤＵへと分割することと、
受信側への送信のために前記第１の複数のＭＰＤＵを出力することと
を備える、方法。
［Ｃ２０］
各ＭＰＤＵは、
前記一意のＭＰＤＵシーケンス番号のインジケーションと、
前記第１のＭＳＤＵに関連付けられた前記ＭＳＤＵシーケンス番号のインジケーションと、
前記ＭＰＤＵが前記第１のＭＳＤＵの開始ＭＰＤＵであるかまたは終了ＭＰＤＵであるかのインジケーションと
を備える制御フィールドを有する、Ｃ１９に記載の方法。
［Ｃ２１］
少なくとも前記第１のＭＳＤＵを処理するためのパラメータのセットを有する少なくとも１つのフレームを生成することと、前記パラメータのセットは、前記第１の複数のＭＰＤＵが送信のために出力される送信ウィンドウについての少なくともＭＰＤＵ開始シーケンス番号（ＳＳＮ）およびＭＳＤＵ ＳＳＮに関連付けられる、
前記受信側への送信のために前記少なくとも１つのフレームを出力することと
をさらに備える、Ｃ１９に記載の方法。
［Ｃ２２］
前記パラメータのセットはまた、
いくつのビットがＭＰＤＵシーケンス番号のために使用されるかのインジケーションと、
いくつのビットがＭＳＤＵシーケンス番号のために使用されるかのインジケーションと
を備える、Ｃ２１に記載の方法。
［Ｃ２３］
前記第１の複数のＭＰＤＵは、アグリゲートされたＭＰＤＵ（Ａ−ＭＰＤＵ）を介した送信のために出力される、Ｃ１９に記載の方法。
［Ｃ２４］
少なくとも第２の媒体アクセス制御（ＭＡＣ）サービスデータユニット（ＭＳＤＵ）を、一意のＭＡＣプロトコルデータユニット（ＭＰＤＵ）シーケンス番号と、前記第２のＭＳＤＵに関連付けられた別個のＭＳＤＵシーケンス番号とを各々が有する、第２の複数のＭＰＤＵへと分割することと、
前記Ａ−ＭＰＤＵを介した送信のために前記第２の複数のＭＰＤＵを出力することと
をさらに備える、Ｃ２３に記載の方法。
［Ｃ２５］
前記受信側から１つまたは複数のブロック確認応答フレームを取得することと、前記１つまたは複数のブロック確認応答フレームは、前記第１の複数のＭＰＤＵのうちのどれが前記受信側によって成功裏に受信されたかを示す、
前記第１の複数のＭＰＤＵの各々が前記受信側によって成功裏に受信されたことを前記１つまたは複数のブロック確認応答フレームが示す場合に、送信バッファから前記第１のＭＳＤＵを解放することと
をさらに備える、Ｃ１９に記載の方法。
［Ｃ２６］
前記受信側から１つまたは複数のブロック確認応答フレームを取得することと、前記１つまたは複数のブロック確認応答フレームは、前記第１の複数のＭＰＤＵのうちのどれが前記受信側によって成功裏に受信されたかを示す、
前記受信側によって成功裏に受信されなかったことを前記１つまたは複数のブロック確認応答フレームが示す前記第１の複数のＭＰＤＵのうちの少なくとも１つを含むフレームを生成することと、
送信のために前記フレームを出力することと
をさらに備える、Ｃ１９に記載の方法。
［Ｃ２７］
前記受信側から１つまたは複数のブロック確認応答フレームを取得することと、前記１つまたは複数のブロック確認応答フレームは、前記第１の複数のＭＰＤＵのうちのどれが前記受信側によって成功裏に受信されたかを示す、
第２のＭＳＤＵを、一意のＭＰＤＵシーケンス番号と、前記第２のＭＳＤＵに関連付けられた別個のＭＳＤＵシーケンス番号とを各々が有する、第２の複数のＭＰＤＵへと分割することと
をさらに備え、前記１つまたは複数のブロック確認応答フレームは、前記第２の複数のＭＰＤＵも含むアグリゲートされたＭＰＤＵ（Ａ−ＭＰＤＵ）を備える、
Ｃ１９に記載の方法。
［Ｃ２８］
前記受信側から１つまたは複数のブロック確認応答フレームを取得することと、前記１つまたは複数のブロック確認応答フレームは、前記第１の複数のＭＰＤＵのうちのどれが前記受信側によって成功裏に受信されたかを示す、
前記受信側によって成功裏に受信されなかったものとして前記１つまたは複数のブロック確認応答フレームによって示された少なくとも１つのＭＰＤＵに対応する少なくとも１つのＭＳＤＵを破棄することと、
前記受信側に前記破棄されたＭＰＤＵを処理することをスキップさせるために選択されるＭＰＤＵ開始シーケンス番号（ＳＳＮ）およびＭＳＤＵ ＳＳＮについての値を有する少なくとも１つのフレームを生成することと、
前記受信側への送信のために前記少なくとも１つのフレームを出力することと
をさらに備える、Ｃ１９に記載の方法。
［Ｃ２９］
前記少なくとも１つのフレームは、ブロック確認応答要求フレームを備える、Ｃ２８に記載の方法。
［Ｃ３０］
ワイヤレス通信のための方法であって、
一意の媒体アクセス制御（ＭＡＣ）プロトコルデータユニット（ＭＰＤＵ）シーケンス番号と、別個のＭＡＣサービスデータユニット（ＭＳＤＵ）シーケンス番号とを各々が有する、第１の複数のＭＰＤＵを取得することと、
前記第１の複数のＭＰＤＵの前記ＭＰＤＵおよびＭＳＤＵシーケンス番号に基づいて受信バッファを維持することと
を備える、方法。
［Ｃ３１］
各ＭＰＤＵは、
前記一意のＭＰＤＵシーケンス番号の第１のインジケーションと、
前記ＭＳＤＵシーケンス番号の第２のインジケーションと、
前記ＭＰＤＵがＭＳＤＵの開始ＭＰＤＵであるかまたは終了ＭＰＤＵであるかの第３のインジケーションと
を備える制御フィールドを有し、前記維持することは、
前記第３のインジケーションに基づいて、ＭＰＤＵが第１のＭＳＤＵの終了ＭＰＤＵであることを検出することと、
前記第１のＭＳＤＵに関連付けられた全てのＭＰＤＵが成功裏に受信されているかどうかを、前記検出後に決定することと、
前記決定が、前記第１のＭＳＤＵに関連付けられた全てのＭＰＤＵが成功裏に受信されているというものである場合に、前記受信バッファから前記第１のＭＳＤＵを解放することと
を備える、
Ｃ３０に記載の方法。
［Ｃ３２］
前記第１のＭＳＤＵは、前記受信バッファが前記第１のＭＳＤＵのＭＳＤＵシーケンス番号より低いＭＳＤＵシーケンス番号の第２のインジケーションを有する制御フィールドを有するいかなるＭＰＤＵも含まない場合にのみ解放される、Ｃ３１に記載の方法。
［Ｃ３３］
少なくともＭＰＤＵ開始シーケンス番号（ＳＳＮ）およびＭＳＤＵ ＳＳＮに関連付けられたパラメータのセットを有する少なくとも１つのフレームを取得することと、
前記ＭＳＤＵ ＳＳＮに基づいて次の予期されるシーケンス番号についての変数を初期化することと、前記ＭＰＤＵ ＳＳＮに基づいて開始ＭＰＤＵシーケンス番号についての変数を初期化することと
をさらに備える、Ｃ３０に記載の方法。
［Ｃ３４］
前記パラメータのセットはまた、いくつのビットが前記ＭＰＤＵ ＳＳＮのために使用されるか、およびいくつのビットが前記ＭＳＤＵ ＳＳＮのために使用されるかを示し、
前記方法は、前記示されたビット数に基づいて前記ＭＰＤＵ ＳＳＮおよび前記ＭＳＤＵ ＳＳＮを決定することを備える、
Ｃ３３に記載の方法。
［Ｃ３５］
ＭＰＤＵ開始シーケンス番号（ＳＳＮ）およびＭＳＤＵ ＳＳＮを示す少なくとも１つのフレームを取得することと、
前記示されたＭＳＤＵ ＳＳＮより低いＭＳＤＵシーケンス番号または前記示されたＭＰＤＵ ＳＳＮより低いＭＰＤＵシーケンス番号のうちの少なくとも１つを有するＭＰＤＵを、前記受信バッファから破棄することと
をさらに備える、Ｃ３０に記載の方法。
［Ｃ３６］
前記少なくとも１つのフレームは、ブロック確認応答要求フレームを備える、Ｃ３５に記載の方法。
［Ｃ３７］
ワイヤレス通信のための装置であって、
第１の媒体アクセス制御（ＭＡＣ）サービスデータユニット（ＭＳＤＵ）を、一意のＭＡＣプロトコルデータユニット（ＭＰＤＵ）シーケンス番号と、前記第１のＭＳＤＵに関連付けられた別個のＭＳＤＵシーケンス番号とを各々が有する、第１の複数のＭＰＤＵへと分割するための手段と、
受信側への送信のために前記第１の複数のＭＰＤＵを出力するための手段と
を備える、装置。
［Ｃ３８］
各ＭＰＤＵは、
前記一意のＭＰＤＵシーケンス番号のインジケーションと、
前記第１のＭＳＤＵに関連付けられた前記ＭＳＤＵシーケンス番号のインジケーションと、
前記ＭＰＤＵが前記第１のＭＳＤＵの開始ＭＰＤＵであるかまたは終了ＭＰＤＵであるかのインジケーションと
を備える制御フィールドを有する、Ｃ３７に記載の装置。
［Ｃ３９］
少なくとも前記第１のＭＳＤＵを処理するためのパラメータのセットを有する少なくとも１つのフレームを生成するための手段と、前記パラメータのセットは、前記第１の複数のＭＰＤＵが送信のために出力される送信ウィンドウについての少なくともＭＰＤＵ開始シーケンス番号（ＳＳＮ）およびＭＳＤＵ ＳＳＮに関連付けられる、
前記受信側への送信のために前記少なくとも１つのフレームを出力するための手段と
をさらに備える、Ｃ３７に記載の装置。
［Ｃ４０］
前記パラメータのセットはまた、
いくつのビットがＭＰＤＵシーケンス番号のために使用されるかのインジケーションと、
いくつのビットがＭＳＤＵシーケンス番号のために使用されるかのインジケーションと
を備える、Ｃ３９に記載の装置。
［Ｃ４１］
前記第１の複数のＭＰＤＵは、アグリゲートされたＭＰＤＵ（Ａ−ＭＰＤＵ）を介した送信のために出力される、Ｃ３７に記載の装置。
［Ｃ４２］
少なくとも第２の媒体アクセス制御（ＭＡＣ）サービスデータユニット（ＭＳＤＵ）を、一意のＭＡＣプロトコルデータユニット（ＭＰＤＵ）シーケンス番号と、前記第２のＭＳＤＵに関連付けられた別個のＭＳＤＵシーケンス番号とを各々が有する、第２の複数のＭＰＤＵへと分割するための手段と、
前記Ａ−ＭＰＤＵを介した送信のために前記第２の複数のＭＰＤＵを出力するための手段と
をさらに備える、Ｃ４１に記載の装置。
［Ｃ４３］
前記受信側から１つまたは複数のブロック確認応答フレームを取得するための手段と、前記１つまたは複数のブロック確認応答フレームは、前記第１の複数のＭＰＤＵのうちのどれが前記受信側によって成功裏に受信されたかを示す、
前記第１の複数のＭＰＤＵの各々が前記受信側によって成功裏に受信されたことを前記１つまたは複数のブロック確認応答フレームが示す場合に、送信バッファから前記第１のＭＳＤＵを解放するための手段と
をさらに備える、Ｃ３７に記載の装置。
［Ｃ４４］
前記受信側から１つまたは複数のブロック確認応答フレームを取得するための手段と、前記１つまたは複数のブロック確認応答フレームは、前記第１の複数のＭＰＤＵのうちのどれが前記受信側によって成功裏に受信されたかを示す、
前記受信側によって成功裏に受信されなかったことを前記１つまたは複数のブロック確認応答フレームが示す前記第１の複数のＭＰＤＵのうちの少なくとも１つを含むフレームを生成するための手段と、
送信のために前記フレームを出力するための手段と
をさらに備える、Ｃ３７に記載の装置。
［Ｃ４５］
前記受信側から１つまたは複数のブロック確認応答フレームを取得するための手段と、前記１つまたは複数のブロック確認応答フレームは、前記第１の複数のＭＰＤＵのうちのどれが前記受信側によって成功裏に受信されたかを示す、
第２のＭＳＤＵを、一意のＭＰＤＵシーケンス番号と、前記第２のＭＳＤＵに関連付けられた別個のＭＳＤＵシーケンス番号とを各々が有する、第２の複数のＭＰＤＵへと分割するための手段と
をさらに備え、前記１つまたは複数のブロック確認応答フレームは、前記第２の複数のＭＰＤＵも含むアグリゲートされたＭＰＤＵ（Ａ−ＭＰＤＵ）を備える、
Ｃ３７に記載の装置。
［Ｃ４６］
前記受信側から１つまたは複数のブロック確認応答フレームを取得するための手段と、前記１つまたは複数のブロック確認応答フレームは、前記第１の複数のＭＰＤＵのうちのどれが前記受信側によって成功裏に受信されたかを示す、
前記受信側によって成功裏に受信されなかったものとして前記１つまたは複数のブロック確認応答フレームによって示された少なくとも１つのＭＰＤＵに対応する少なくとも１つのＭＳＤＵを破棄するための手段と、
前記受信側に前記破棄されたＭＰＤＵを処理することをスキップさせるために選択されるＭＰＤＵ開始シーケンス番号（ＳＳＮ）およびＭＳＤＵ ＳＳＮについての値を有する少なくとも１つのフレームを生成するための手段と、
前記受信側への送信のために前記少なくとも１つのフレームを出力するための手段と
をさらに備える、Ｃ３７に記載の装置。
［Ｃ４７］
前記少なくとも１つのフレームは、ブロック確認応答要求フレームを備える、Ｃ４６に記載の装置。
［Ｃ４８］
ワイヤレス通信のための装置であって、
一意の媒体アクセス制御（ＭＡＣ）プロトコルデータユニット（ＭＰＤＵ）シーケンス番号と、別個のＭＡＣサービスデータユニット（ＭＳＤＵ）シーケンス番号とを各々が有する、第１の複数のＭＰＤＵを取得するための手段と、
前記第１の複数のＭＰＤＵの前記ＭＰＤＵおよびＭＳＤＵシーケンス番号に基づいて受信バッファを維持するための手段と
を備える、装置。
［Ｃ４９］
各ＭＰＤＵは、
前記一意のＭＰＤＵシーケンス番号の第１のインジケーションと、
前記ＭＳＤＵシーケンス番号の第２のインジケーションと、
前記ＭＰＤＵがＭＳＤＵの開始ＭＰＤＵであるかまたは終了ＭＰＤＵであるかの第３のインジケーションと
を備える制御フィールドを有し、前記維持するための手段は、
前記第３のインジケーションに基づいて、ＭＰＤＵが第１のＭＳＤＵの終了ＭＰＤＵであることを検出するための手段と、
前記第１のＭＳＤＵに関連付けられた全てのＭＰＤＵが成功裏に受信されているかどうかを、前記検出後に決定するための手段と、
前記決定が、前記第１のＭＳＤＵに関連付けられた全てのＭＰＤＵが成功裏に受信されているというものである場合に、前記受信バッファから前記第１のＭＳＤＵを解放するための手段と
を備える、
Ｃ４８に記載の装置。
［Ｃ５０］
前記第１のＭＳＤＵは、前記受信バッファが前記第１のＭＳＤＵのＭＳＤＵシーケンス番号より低いＭＳＤＵシーケンス番号の第２のインジケーションを有する制御フィールドを有するいかなるＭＰＤＵも含まない場合にのみ解放される、Ｃ４９に記載の装置。
［Ｃ５１］
少なくともＭＰＤＵ開始シーケンス番号（ＳＳＮ）およびＭＳＤＵ ＳＳＮに関連付けられたパラメータのセットを有する少なくとも１つのフレームを取得するための手段と、
前記ＭＳＤＵ ＳＳＮに基づいて次の予期されるシーケンス番号についての変数を初期化し、および前記ＭＰＤＵ ＳＳＮに基づいて開始ＭＰＤＵシーケンス番号についての変数を初期化するための手段と
をさらに備える、Ｃ４８に記載の装置。
［Ｃ５２］
前記パラメータのセットはまた、いくつのビットが前記ＭＰＤＵ ＳＳＮのために使用されるか、およびいくつのビットが前記ＭＳＤＵ ＳＳＮのために使用されるかを示し、
前記装置は、前記示されたビット数に基づいて前記ＭＰＤＵ ＳＳＮおよび前記ＭＳＤＵ ＳＳＮを決定するための手段を備える、
Ｃ５１に記載の装置。
［Ｃ５３］
ＭＰＤＵ開始シーケンス番号（ＳＳＮ）およびＭＳＤＵ ＳＳＮを示す少なくとも１つのフレームを取得するための手段と、
前記示されたＭＳＤＵ ＳＳＮより低いＭＳＤＵシーケンス番号または前記示されたＭＰＤＵ ＳＳＮより低いＭＰＤＵシーケンス番号のうちの少なくとも１つを有するＭＰＤＵを、前記受信バッファから破棄するための手段と
をさらに備える、Ｃ４８に記載の装置。
［Ｃ５４］
前記少なくとも１つのフレームは、ブロック確認応答要求フレームを備える、Ｃ５３に記載の装置。
［Ｃ５５］
ワイヤレスノードであって、
第１の媒体アクセス制御（ＭＡＣ）サービスデータユニット（ＭＳＤＵ）を、一意のＭＡＣプロトコルデータユニット（ＭＰＤＵ）シーケンス番号と、前記第１のＭＳＤＵに関連付けられた別個のＭＳＤＵシーケンス番号とを各々が有する、第１の複数のＭＰＤＵへと分割するように構成された少なくとも１つの処理システムと、
受信側に前記第１の複数のＭＰＤＵを送信するように構成された送信機と
を備える、ワイヤレスノード。
［Ｃ５６］
ワイヤレスノードであって、
一意の媒体アクセス制御（ＭＡＣ）プロトコルデータユニット（ＭＰＤＵ）シーケンス番号と、別個のＭＡＣサービスデータユニット（ＭＳＤＵ）シーケンス番号とを各々が有する、第１の複数のＭＰＤＵを受信するように構成された受信機と、
前記第１の複数のＭＰＤＵの前記ＭＰＤＵおよびＭＳＤＵシーケンス番号に基づいて受信バッファを維持するように構成された少なくとも１つの処理システムと
を備える、ワイヤレスノード。
［Ｃ５７］
第１の媒体アクセス制御（ＭＡＣ）サービスデータユニット（ＭＳＤＵ）を、一意のＭＡＣプロトコルデータユニット（ＭＰＤＵ）シーケンス番号と、前記第１のＭＳＤＵに関連付けられた別個のＭＳＤＵシーケンス番号とを各々が有する、第１の複数のＭＰＤＵへと分割することと、
受信側への送信のために前記第１の複数のＭＰＤＵを出力することと
を行うための命令を記憶した、コンピュータ可読媒体。
［Ｃ５８］
一意の媒体アクセス制御（ＭＡＣ）プロトコルデータユニット（ＭＰＤＵ）シーケンス番号と、別個のＭＡＣサービスデータユニット（ＭＳＤＵ）シーケンス番号とを各々が有する、第１の複数のＭＰＤＵを取得することと、
前記第１の複数のＭＰＤＵの前記ＭＰＤＵおよびＭＳＤＵシーケンス番号に基づいて受信バッファを維持することと
を行うための命令を記憶した、コンピュータ可読媒体。